(57)【要約】      （修正有）【課題】掛金を固定するバンドを省略することにより、低コストと作業性の向上を図ることができるアルミニウム合金製消火器を提供する。【解決手段】壁面８に設けられた受け部９に掛け止めして設置されるアルミニウム合金製消火器であって、消火器本体１の胴部２に、壁面８に設けられた受け部９に掛ける掛金３を溶接により固定して設けた。【選択図】図２
0003208864.tif 000002
【実用新案登録請求の範囲】
【請求項１】
壁面に設けられた受け部に掛け止めして設置されるアルミニウム合金製消火器であって、消火器本体の胴部に、壁面に設けられた前記受け部に掛ける掛金を溶接により固定して設けたことを特徴とするアルミニウム合金製消火器。
【請求項２】
前記溶接はスポット溶接であることを特徴とする請求項１に記載のアルミニウム合金製消火器。
【考案の詳細な説明】
【技術分野】
【０００１】
本考案は、壁面に設けられた受け部に掛け止めして設置されるアルミニウム合金製消火器に関する。
【背景技術】
【０００２】
住宅やビルなどの建物に、簡易に持ち運びでき使用できる消火器が用意されている。消火器の設置は、掃除や通行の邪魔にならず、また転倒を防ぎ、また、緊急時には容易に且つ速やかに取り出すことが肝要である。
建物における消火器の設置は、建物の壁面に設置するといったことが多く行われている。消火器を壁面に設置する手段として、壁面にフック或いは環状の受け部を設け、そして、消火器の胴部には、フック或いは環状の受け部に掛け止めする掛金を設け、消火器の掛金を壁面に設けた受け部に掛けるようにして、消火器を壁面に設置している（例えば、特許文献１参照。）。
【０００３】
従来、一般に消火器は鉄製であって、消火器に設ける掛金は溶接により固定して設けられていた。しかし、近年、軽量で錆びにくいといった面からアルミニウム合金製の消火器が多く使用されている。このアルミニウム合金製の消火器にあっては、その材料の物性上、鉄に比べ溶接が面倒であるといった認識があり、前記の掛金は図５に示すように、消火器Ａの胴部Ｂに、バンドＣを巻き付け、このバンドＣにより掛金Ｄを設けるといった手段がとられている（例えば、特許文献２参照。）。
【先行技術文献】
【特許文献】
【０００４】
【特許文献１】登録実用新案第３１５５４９６号公報
【特許文献２】登録実用新案第３０１３５６８号公報
【考案の概要】
【考案が解決しようとする課題】
【０００５】
前述のアルミニウム合金製の消火器にあっては、壁面に設けられた受け部に掛け止めする掛金は、消火器の胴部にバンドを巻き付け、このバンドにより掛金を設けているため、消火器とは別個にバンドと掛金を用意しなければならないのでコストがかかり、また、消火器の胴部にバンドを巻き付けるといった作業が必要となり、手間がかかるといった問題がある。
【０００６】
本考案の目的は、掛金を固定するバンドを省略することにより、低コストと作業性の向上を図ることができるアルミニウム合金製消火器を提供することにある。
【課題を解決するための手段】
【０００７】
上記目的を達成するために、請求項１に記載の考案は、壁面に設けられた受け部に掛け止めして設置されるアルミニウム合金製消火器であって、消火器本体の胴部に、壁面に設けられた前記受け部に掛ける掛金を溶接により固定して設けたことを特徴とする。
【０００８】
請求項２に記載の考案は、請求項１に記載の、前記溶接はスポット溶接であることを特徴とする。
【考案の効果】
【０００９】
請求項１に記載のアルミニウム合金製消火器は、消火器本体の胴部に、壁面に設けられた前記受け部に掛ける掛金を溶接により固定して設けたので、従来のようなバンドと掛金を用意する必要がなく、また消火器の胴部にバンドを巻き付けるといった作業を必要としないので、消火器の低コストと作業性の向上を図ることができる。
【００１０】
請求項２に記載のアルミニウム合金製消火器は、請求項１に記載の、前記溶接はスポット溶接であるので、消火器本体の胴部に、掛金を割れの発生や溶接不良などの発生の無い状態で、容易に且つ確実に溶接することができる。
【図面の簡単な説明】
【００１１】
【図１】本考案に係るアルミニウム合金製消火器の実施の一例を示す斜視図である。
【図２】本考案に係るアルミニウム合金製消火器を壁面に設置した状態を示す一部省略説明図である。
【図３】本考案に係るアルミニウム合金製消火器の消火器本体の胴部に掛金を溶接する状態を示す縦断面説明図である。
【図４】本考案に係るアルミニウム合金製消火器の消火器本体の胴部に掛金を溶接する状態を示す横断面説明図である。
【図５】従来の掛金を設けたアルミニウム合金製消火器の斜視図である。
【考案を実施するための形態】
【００１２】
以下、本考案に係るアルミニウム合金製消火器の実施の形態を、図１〜図４を参照しつつ説明する。
【００１３】
図１において、本例のアルミニウム合金製消火器は、消火器本体１の胴部２に、掛金３が溶接により固定して設けられている。本例では、掛金３は一枚の板材からなり、板材の長手方向両側を固定片部３ａとし、固定片部３ａ、３ａの間を、掛金３を消火器本体１の胴部２に固定したとき胴部２との間で環状空間部４を形成するように一面側に折曲する突出片部３ｂとした構成となっている。
【００１４】
このように構成された掛金３は、消火器本体１の胴部２の上部外周面に固定片部３ａ、３ａを当接させて、胴部２に固定片部３ａ、３ａを溶接することにより消火器本体１の胴部２に固定している。そして、消火器本体１の胴部２の外周面と、胴部２に固定された掛金３の突出片部３ｂとの間には、前記した環状空間部４が形成されている。
【００１５】
消火器本体１の胴部２への掛金３の溶接にあっては、本例ではスポット溶接で行っている。スポット溶接は、次のようにして行っている。図３、図４に示すように、スポット溶接機（図示せず）の一方の電極５を消火器本体１の胴部２の外周面に当接させた掛金３の固定片部３ａ、３ａに当接させ、一方の電極６を消火器本体１の口部７から消火器本体１内へ挿入して、電極６を消火器本体１の胴部２の内周面の、前記の掛金３の固定片部３ａ、３ａに当接した電極５と対向する箇所に当接させ、電極５、６間に通電する。
【００１６】
このようにして、消火器本体１の胴部２に掛金３が固定されたアルミニウム合金製消火器は建物の壁面８に、消火器本体１の胴部２の外周面と掛金３の突出片部３ｂとの間に形成された環状空間部４に建物の壁面８に設けられたフックからなる受け部９を挿入し掛け止めすることにより設置される（図２）。
【００１７】
上記のように本考案に係るアルミニウム合金製消火器では、消火器本体１の胴部２に、壁面８に設けられた受け部９に掛ける掛金３を溶接により固定して設けたので、従来のようなバンドと掛金を用意する必要がなく、また消火器の胴部にバンドを巻き付けるといった作業を必要としない。
【００１８】
また、本例では、消火器本体１の胴部２と掛金３の溶接は、スポット溶接で行っているので、他の溶接手段に比べ溶接設備が簡単で済み、また消火器本体の胴部に、掛金を割れの発生や溶接不良などの発生の無い状態で、容易に且つ確実に溶接できる。
【００１９】
なお、本例では、掛金３は一枚の板材からなり、板材の長手方向両側を固定片部３ａとし、固定片部３ａ、３ａの間を、掛金３を消火器本体１の胴部２に固定したとき胴部２との間で環状空間部４を形成するように一面側に折曲する突出片部３ｂとした構成となっており、建物の壁面８に設けられた受け部９はフックとなっているが、掛金３がフックであり、建物の壁面８に設けられた受け部９が、前記フックからなる掛金３が挿入される環状空間部となっていてもよい。
【符号の説明】
【００２０】
１  消火器本体
２  胴部
３  掛金
３ａ  固定片部
３ｂ  突出片部
４  環状空間部
５、６  電極
７  口部
８  壁面
９  受け部
【図１】
0003208864.tif 000003
【図２】
0003208864.tif 000004
【図３】
0003208864.tif 000005
【図４】
0003208864.tif 000006
【図５】
0003208864.tif 000007